(57)【要約】【課題】収容袋の出口付近に残存した毛髪化粧料を吐出しやすくする。【解決手段】染毛剤吐出容器１００は、２剤混合式の染毛剤の第１剤及び第２剤が収容されたパウチ１１１，１２１と、パウチ１１１，１２１の開口を封止し、パウチ１１１，１２１の内外を連通する連通穴１３１及びその連通穴１３１を開閉する開閉弁１３２が形成された封止部材１３０と、内部流路が形成され、封止部材１３０の連通穴１３１に挿入されることにより開閉弁１３２を閉状態から開状態にしてパウチ１１１，１２１に収容された染毛剤を内部流路へ流入可能とし、封止部材１３０の連通穴１３１から抜き出されることにより開閉弁１３２を開状態から閉状態にする挿入部材１４１と、２つの挿入部材１４１，１４１を介してパウチ１１１，１２１から染毛剤を吸引して吐出する２つのポンプ１５０，１５０とを備える。【選択図】図１
2010035585.tif 000002
【特許請求の範囲】
【請求項１】
毛髪化粧料が収容された収容袋と、
前記収容袋の開口を封止し、前記収容袋の内外を連通する連通穴及びその連通穴を開閉する開閉弁が形成された封止部材と、
内部流路が形成され、前記封止部材の前記連通穴に挿入されることにより前記開閉弁を閉状態から開状態にして前記収容袋に収容された毛髪化粧料を前記内部流路へ流入可能とし、前記封止部材の前記連通穴から抜き出されることにより前記開閉弁を開状態から閉状態にする挿入部材と、
前記挿入部材を介して前記収容袋から毛髪化粧料を吸引して吐出するポンプと、
を備えることを特徴とする毛髪化粧料吐出容器。
【請求項２】
前記封止部材が取り付けられた収容袋を複数備え、複数の収容袋のそれぞれから挿入部材を介して吸引される毛髪化粧料を合流させて共通の吐出口から吐出すること
を特徴とする請求項１に記載の毛髪化粧料吐出容器。
【請求項３】
複数の収容袋のそれぞれから挿入部材を介して毛髪化粧料を吸引する複数のポンプを備え、
複数の収容袋から吸引される毛髪化粧料を前記ポンプよりも下流側で合流させること
を特徴とする請求項２に記載の毛髪化粧料吐出容器。
【請求項４】
複数の収容袋のそれぞれから挿入部材を介して吸引される毛髪化粧料を前記ポンプよりも上流側で合流させること
を特徴とする請求項２に記載の毛髪化粧料吐出容器。
【請求項５】
前記封止部材は、前記収容袋に収容される側の形状が円錐状に形成されていること
を特徴とする請求項１から請求項４までのいずれか１項に記載の毛髪化粧料吐出容器。
【請求項６】
前記収容袋に収容される毛髪化粧料は、酸化染毛剤、脱色剤又は直接染毛料であること
を特徴とする請求項１から請求項５までのいずれか１項に記載の毛髪化粧料吐出容器。
【請求項７】
内部流路が形成され、毛髪化粧料が収容された収容袋の開口を封止し前記収容袋の内外を連通する連通穴及びその連通穴を開閉する開閉弁が形成された封止部材の前記連通穴に挿入されることにより、前記開閉弁を閉状態から開状態にして前記収容袋に収容された毛髪化粧料を前記内部流路へ流入可能とし、前記封止部材の前記連通穴から抜き出されることにより前記開閉弁を開状態から閉状態にする挿入部材と、
前記挿入部材を介して前記収容袋から毛髪化粧料を吸引して吐出するポンプと、
を備えることを特徴とする毛髪化粧料吐出具。
【請求項８】
収容袋の内外を連通する連通穴及びその連通穴を開閉する開閉弁が形成された封止部材によって開口が封止された収容袋から収容物としての毛髪化粧料を吐出させる方法であって、
内部流路が形成され、前記封止部材の前記連通穴に挿入されることにより前記開閉弁を閉状態から開状態にして前記収容袋に収容された毛髪化粧料を前記内部流路へ流入可能とし、前記封止部材の前記連通穴から抜き出されることにより前記開閉弁を開状態から閉状態にする挿入部材を介して、前記収容袋から毛髪化粧料をポンプで吸引して吐出すること
を特徴とする毛髪化粧料の吐出方法。
【発明の詳細な説明】
【技術分野】
【０００１】
本発明は、収容袋から毛髪化粧料を吐出する毛髪化粧料吐出容器、毛髪化粧料吐出具及び毛髪化粧料の吐出方法に関するものである。
【背景技術】
【０００２】
従来、連通穴及びその連通穴を開閉する開閉弁が形成された封止部材と、内部流路が形成され、封止部材の連通穴に挿入されることにより開閉弁を閉状態から開状態にし、連通穴から抜き出されることにより開閉弁を開状態から閉状態にする挿入部材とからなる連結部材が提案されている（例えば特許文献１参照）。
【０００３】
ここで、特許文献１に記載の連結部材について、図７〜図１０を用いて説明する。
この連結部材は、封止部材を構成する雌部材１及びプラグ３と、挿入部材としての雄部材２とからなる。
【０００４】
雌部材１は、雄部材２用の挿入口４から本体を貫通して伸びる円筒状の空洞７を有しており、この空洞７はその両端部で開口している。空洞７の本体から突出する環状壁部８の内周面には、空洞７を環状に延長するプラグ３用の座部が形成されており、このプラグ３が空洞７を封止するために用いられる。
【０００５】
雄部材２は、雌部材１の空洞７に適合する筒状端部部材１０を有している。図９に示すように、雌部材１の中に雄部材２が完全に挿入されたとき、雄部材２の放射状に突出している停止用鍔部１１が雌部材１に当接する。さらに、雄部材２は、端部部材１０に連続して、雄部材２の取扱いを可能にするための環状突出部１３を有する筒状部１２から構成されている。
【０００６】
雄部材２は、流体用の内部軸方向通路１５を有している。その軸方向通路１５は、ホース接続部１４の端部で開口しており、他方端は開口していない。これにより、通路１５は、端部部材１０の先端まで延長しておらず、その先端から少し手前で塞がっている。この雄部材２の内部には４つの横方向通路１７が形成されており、この横方向通路１７がその塞がれた端部の近傍の軸方向通路１５を雄部材２の外周と連絡する。
【０００７】
雄部材２の端部部材１０の先端は、その先端に円筒形状の突出部２４を有する円錐形状の頭部２３として構成されている。その先端から遠ざかる方向において頭部２３は、まず第一に、外方に傾斜する表面２５を有し、そしてこれに隣接して、外側方向により小さい円錐形の角度で傾斜している係合面２６を有している。係合面２６に隣接して、ショルダー面２７が、内側方向に傾斜して設けられ、このショルダー面は、頭部２３と、横方向通路１７が設けられた雄部材２の部分との間の環状溝部２８によって形成される凹所の底面で終了する。頭部２３には、２つの正反対に位置する溝部２９が設けられ、これらは、端部部材１０の先端から頭部２３の背後まで延長し、溝状の凹所２８の位置で終了する。
【０００８】
プラグ３は、環状壁部３１と端部壁部３２とを有し、これらは、共にプラグ３の空所３３を取り囲み、この空所３３は挿入口４の方向に開放され、この空所３３は雄部材２の頭部２３を受容するものである。端部壁部３２は筒状の凹所３４を形成し、その直径は、頭部２３の円筒状突出部２４の直径と適合する。
【０００９】
プラグ３は、２つの柔軟部材３５によって雌部材１の本体と連結している。柔軟部材３５の長さは、連結部材が図７に図示した位置にあるときに、雄部材２がプラグ３と連結できる程度のものである。
【００１０】
雌部材１の挿入口４に面したプラグ３の端部に、プラグ３は、放射状に拡張し、また縮小する環状カラー４０を有し、このカラー４０は、プラグ３の全周に形成されている。このカラー４０は、その端部から内部方向に傾斜する内周面４１を有し、その内周面は、外側方向に向かって傾斜するショルダー面４２に接続し、ショルダー面は、次に環状壁部３１の内面に接続する。さらに、カラー４０は、その端部から外側方向に傾斜する外表面４４を有し、その外表面は、内側方向に傾斜する環状のフッキング面４５に接続し、そのフッキング面４５は、次に環状壁部３１の外表面に接続する。
【００１１】
さらに、プラグ３は、環状壁部３１の外周面の回りに位置し、外側方向に突出する封止用リム４６を有している。プラグ３は、また、カラー４０から離れて、封止用リム４６の横に位置し、外側に突出する環状の停止面４７を有している。
【００１２】
環状壁部８には、プラグ３がその座部９内にあるとき、プラグ３の停止面４７が当接する軸方向端面５０を有している。雄部材２の挿入方向から見て、空洞７は、雄部材２が、挿入適合しうるように、その内部に挿入されうる程度の直径をもつ第１の部分を有している。
【００１３】
図面番号５１において、その第１の部分は、少し小さい直径を有する空洞７の第２の部分に変更して行く。空洞７の浅い環状溝部５３（図７参照）は、雄部材２のシールリング（図示なし）が、雌部材１の中に完全に挿入され、この溝部に一部係合するように配置されており、そのため、一方で、信頼できる封止が行われ、他方である種の嵌合連結が行われる。
【００１４】
環状壁部８は、挿入口４の方向に端面５０から見たとき、プラグ３の封止用リム４６の外径よりも少し小さい内径を有する環状シール面５４を有している（図１０（ａ）参照）。したがって、封止用リム４６を有するプラグ３は、環状壁部８にしっかりと適合することになり、こうして半径方向の密閉が確立される。
【００１５】
同一の方向から見て、内方に傾斜する移行面５５がシール面５４に接続する。この移行面５５は、順次、外側に傾斜する空洞７のショルダー面５６へと連続する。この円錐状のショルダー面５６に、より小さい角度で外側に傾斜し、空洞７の第２の円筒状部分に接続する移行面５７が連続する。
【００１６】
図１０（ａ）〜図１０（ｅ）に基づき連結部材の動作を説明する。
図１０（ａ）は、座部に位置するプラグ３が空洞７をいかに封鎖しているかを示している。プラグ３は、その停止面４７が環状壁部８の端面５０に対して当接し、封止用リム４６を環状壁部８に押圧している。図１０（ａ）において、カラー４０は、その第１の位置にあり、プラグ３の環状の滑らかなフッキング面４５は、空洞７のショルダー面５６に対して弾性的に圧接された状態で係合している。停止面４７の端面５０に対する接触が空洞７の第２の封止を行っている。カラー４０のこの第１の位置において、カラー４０の外表面４４と空洞７の移行面５７との間に空間が存在し、その空間の大きさは、ショルダー面５６から挿入口４に向かって増大している。図１０（ｂ）は、雄部材２の頭部２３がプラグ３の空所３３内部に挿入されたときの状態を示す。頭部２３の係合面２６の最小直径が、カラー４０の第１の位置における内周面４１の最小直径よりも小さいため、また、カラー４０の内周面４１の傾斜角度が、頭部２３の係合面２６の傾斜角度よりも大きいため、頭部２３とカラー４０との間の接触は、プラグ３のショルダー面４２へ向かう内周面４１の移行リムの位置で、とりわけ行われるのである。
【００１７】
図１０（ａ）及び図１０（ｂ）において、プラグ３が座部９内にあるときに、この移行リムは、挿入方向から見て、空洞７のショルダー面５６の軸方向前方にあることが分かる。その結果、カラー４０は、環状壁部３１に接続するカラー４０の厚みの薄い接続部において外側に曲がることができる。ショルダー面５６の空洞７の表面５７は、外側に傾斜しているため、座部の内部に位置するプラグ３のカラー４０の回りには、カラー４０が、雌部材１からの大きな抵抗を受けることなく、頭部２３が空所３３内に挿入できるように、放射状に拡張することができる程度の大きさの空間が存在している。したがって、カラー４０を拡張させるために必要な力は、とりわけカラー４０自体の固さによって決定される。
【００１８】
図１０（ｂ）において、カラー４０は、その第２の位置に存在し、可能な限り外側に押圧されている。カラー４０が拡張したため、プラグ３をその座部から押し出すのに必要とされる力は大きくなり、プラグ３がその座部から移動しうる前に、まず頭部２３が空所３３内に完全に進入しうる。
【００１９】
図１０（ｃ）は、雄部材２の頭部２３がプラグ３の空所３３内に完全に入ったときの状態を示している。頭部２３の円筒形状の突出部２４が凹所３４に適合している。さらに、カラー４０は、図１０（ｂ）に示された第２の位置から第３の位置へ弾性的に引き戻される。この第３の位置は、図１０（ａ）に示された第１の位置よりも更に少し外側に位置しており、したがって、プラグ３のショルダー面４２が、頭部２３のショルダー面２７に対して圧接状態に置かれ、それ故、頭部２３をプラグ３の内部に確実に保持する。雄部材２が雌部材１の内部に更に挿入されたとき、空洞７のショルダー面５６がカラー４０のフッキング面４５上に反作用力を及ぼし、この力が、再度環状壁部３１にカラー４０が接続する厚みの薄い接続部に、カラー４０への内側方向への折曲力となる。プラグ３に挿入された雄部材２が、カラー４０と同じ位置に環状溝部２８を有しているために、カラー４０は、容易に半径方向に圧縮され、それ故カラー４０の直径が減少する。したがって、フッキング面４５が雄部材２の軸とより平行となって、環状壁部８へのフッキング面４５から及ぼされる力が、より大きく放射状に拡張させるように環状壁部８に及ぶ。その結果、カラー４０は、更に内側に圧縮され、第４の位置におけるように、空洞７のショルダー面５６の最小の直径を通過することができ、こうして図１０（ｄ）に示した位置に来る。
【００２０】
雄部材２が完全に挿入された位置に移動したとき、プラグ３は空洞７から完全に自由となる。先に圧縮されていたカラー４０は再度第３の位置に戻るが、頭部２３は、プラグ３のショルダー面４２によって保持されたままである。図１０（ｅ）に示された位置によって、結局、図９に示した状態に至り、ここにおいて雄部材２の横方向通路１７がプラグ３のカラー４０と雌部材１の環状壁部８との間に位置し、流体の連通が行われる。雄部材２は、図９に示された位置から始まって、雌部材１の空洞７から引き寄せられ、頭部２３が空洞７の環状壁部８の方向に沿ってプラグ３を引き寄せる。したがって、カラー４０の円錐状の外表面４４が、シール面５４によって境界づけられる空洞７の部分に進入する。外表面４４が環状壁部８と接触するや否や、カラー４０は、半径方向に圧縮され、その第４の位置に戻り、その後、プラグ３から頭部２３を引き出すのに要する力が、プラグ３が最初にその座部９から完全に引き出されるよりもより大きくなり、次に、カラー４０が空洞の移行面５５とショルダー面５６との間の移行縁部を通過する。プラグ３がその座部９内に入るや否や、頭部２３のショルダー面２７は、カラー４０上に外側方向への折曲力を及ぼす。そのときに、このカラー４０は、再度その第２の位置に容易に放射状に拡張しうる。その結果、頭部２３は、小さい力でプラグ３から引き出され、その後、カラー４０は、その第１の位置へと跳ね戻る。
【特許文献１】特表２００１−５１１４１６号公報
【発明の開示】
【発明が解決しようとする課題】
【００２１】
前述したような連結部材は、例えば、毛髪化粧料を収容したパウチ等の収容袋の封止に利用することが考えられる。すなわち、毛髪化粧料を収容する収容袋の開口部に、封止部材（前述した雌部材１及びプラグ３）をプラグ３が収容袋内に位置するように取り付ける。そして、毛髪化粧料を使用する際には、挿入部材（前述した雄部材２）を封止部材に挿入した状態で収容袋を手で押すことにより、収容袋内に収容された毛髪化粧料を挿入部材を介して吐出する。このようにすれば、保存安定性を高めることができ、小分け使用するのに便利である。
【００２２】
しかしながら、このような連結部材は、構造が比較的複雑であり、収容袋の出口付近でかさばって収容袋をつぶしにくくなるため、出口付近に残存した毛髪化粧料が吐出しにくく、十分に使い切ることができないという問題が考えられる。
【００２３】
本発明は、こうした問題にかんがみてなされたものであり、収容袋の出口付近に残存した毛髪化粧料を吐出しやすくすることを目的としている。
【課題を解決するための手段】
【００２４】
上記目的を達成するためになされた本発明の請求項１に記載の毛髪化粧料吐出容器は、毛髪化粧料が収容された収容袋と、収容袋の開口を封止し、収容袋の内外を連通する連通穴及びその連通穴を開閉する開閉弁が形成された封止部材と、内部流路が形成され、封止部材の連通穴に挿入されることにより開閉弁を閉状態から開状態にして収容袋に収容された毛髪化粧料を内部流路へ流入可能とし、封止部材の連通穴から抜き出されることにより開閉弁を開状態から閉状態にする挿入部材と、挿入部材を介して収容袋から毛髪化粧料を吸引して吐出するポンプとを備える。なお、ここでいう毛髪化粧料は、直ちに使用可能な状態のものに限らず、例えば複数種類の薬剤を混合して使用するタイプについては混合前の薬剤も含まれる。
【００２５】
このような毛髪化粧料吐出容器において、収容袋は、挿入部材が封止部材の連通穴に挿入されていない状態では、封止部材によって密封された状態となっている。そして、挿入部材が封止部材の連通穴に挿入された状態でのみ、収容袋に収容された毛髪化粧料を外部へ吐出可能な状態となる。このため、キャップで開閉する構造のように閉め忘れの問題が無く、毛髪化粧料の保存安定性を向上させることができ、また、小分け使用にも適している。
【００２６】
ただし、このような封止部材は、構造が比較的複雑となり、収容袋の開口部分がかさばって収容袋をつぶしにくくなるため、収容袋を外部から圧迫して毛髪化粧料を吐出させようとすると、出口付近に残存した毛髪化粧料が吐出しにくく、十分に使い切ることができないという問題が考えられる。
【００２７】
そこで、本発明の毛髪化粧料吐出容器では、収容袋に収容された毛髪化粧料をポンプで吸引して吐出するようにしている。このため、収容袋の出口付近に残存した毛髪化粧料についても吐出しやすくすることができる。
【００２８】
ところで、毛髪化粧料としては、複数種類の薬剤を使用直前に混合して毛髪に塗布するタイプのものが知られている。このようなものについては、それぞれ専用の毛髪化粧料吐出容器を用いて別々に吐出した後に混合することも考えられるが、共通の吐出口から同時に吐出された方が使い勝手がよい。
【００２９】
そこで、例えば請求項２に記載の毛髪化粧料吐出容器は、封止部材が取り付けられた収容袋を複数備え、複数の収容袋のそれぞれから挿入部材を介して吸引される毛髪化粧料を合流させて共通の吐出口から吐出する。このような毛髪化粧料吐出容器によれば、複数種類の薬剤を別々に保管しつつ、使用時には同時に吐出させることができる。
【００３０】
具体的には、例えば請求項３に記載の毛髪化粧料吐出容器は、複数の収容袋のそれぞれから挿入部材を介して毛髪化粧料を吸引する複数のポンプを備え、複数の収容袋から吸引される毛髪化粧料をポンプよりも下流側で合流させる。このような毛髪化粧料吐出容器によれば、複数の薬剤の混合比率を適正なものとすることができる。すなわち、薬剤の種類が異なると、粘度等の特性が異なるため、共通のポンプで吸引する構成では、薬剤の特性（流れやすさ等）によって吸引量のバランスが適正でなくなってしまうことが考えられる。これに対し、収容袋ごとにポンプを備える構成では、各収容袋から所望の量の吸引を行うことができるため、混合比率を適正なものにしやすくなる。
【００３１】
一方、例えば請求項４に記載の毛髪化粧料吐出容器では、複数の収容袋のそれぞれから挿入部材を介して吸引される毛髪化粧料をポンプよりも上流側で合流させる。このような毛髪化粧料吐出容器によれば、複数種類の薬剤の混合を促進させることができる。すなわち、一般に、ポンプ内の流路は、その構造上、狭い部分と広い部分とを有しており、乱流が生じやすくなっている。このため、薬剤を合流させた後にポンプを通過させることで、混合専用の部材を別途設けることなく、混合を効率的に促進させることができる。
【００３２】
また、例えば請求項５に記載の毛髪化粧料吐出容器では、封止部材は、収容袋に収容される側の形状が円錐状に形成されている。このような毛髪化粧料吐出容器によれば、収容袋内の毛髪化粧料が残り少なくなった際に、封止部材と収容袋との間に生じる容積（毛髪化粧料が残存するスペース）を小さくすることができるため、収容袋の出口付近に残存した毛髪化粧料を一層吐出しやすくすることができる。
【００３３】
また、毛髪化粧料としては、例えば請求項６に記載のように、保存安定性が特に問題となる酸化染毛剤、脱色剤又は直接染毛料を用いると、本発明の効果がより顕著となる。
次に、請求項７に記載の毛髪化粧料吐出具は、内部流路が形成され、毛髪化粧料が収容された収容袋の開口を封止し収容袋の内外を連通する連通穴及びその連通穴を開閉する開閉弁が形成された封止部材の連通穴に挿入されることにより、開閉弁を閉状態から開状態にして収容袋に収容された毛髪化粧料を内部流路へ流入可能とし、封止部材の連通穴から抜き出されることにより開閉弁を開状態から閉状態にする挿入部材と、挿入部材を介して収容袋から毛髪化粧料を吸引して吐出するポンプとを備える。
【００３４】
このような毛髪化粧料吐出具によれば、請求項１に記載の毛髪化粧料吐出容器を構成することができ、これにより前述した効果を得ることができる。
次に、請求項８に記載の毛髪化粧料の吐出方法は、収容袋の内外を連通する連通穴及びその連通穴を開閉する開閉弁が形成された封止部材によって開口が封止された収容袋から収容物としての毛髪化粧料を吐出させる方法であって、内部流路が形成され、封止部材の連通穴に挿入されることにより開閉弁を閉状態から開状態にして収容袋に収容された毛髪化粧料を内部流路へ流入可能とし、封止部材の連通穴から抜き出されることにより開閉弁を開状態から閉状態にする挿入部材を介して、収容袋から毛髪化粧料をポンプで吸引して吐出することを特徴としている。
【００３５】
このような吐出方法によれば、請求項１に記載の毛髪化粧料吐出容器と同様の効果を得ることができる。
【発明を実施するための最良の形態】
【００３６】
以下、本発明が適用された実施形態について、図面を用いて説明する。
［第１実施形態］
図１は、第１実施形態の染毛剤吐出容器１００の概略構成図である。
【００３７】
同図に示すように、この染毛剤吐出容器１００は、２剤混合式の酸化染毛剤の第１剤及び第２剤を別々に収容する２つの収容容器（第１収容容器１１０及び第２収容容器１２０）と、各収容容器１１０，１２０から染毛剤を吸引し、共通の吐出口から吐出する染毛剤吐出具１４０とを備えている。
【００３８】
このうち、第１収容容器１１０は、染毛剤の第１剤が収容された第１パウチ１１１と、第１パウチ１１１の開口を封止する封止部材１３０とを備えている。また、第２収容容器１２０は、染毛剤の第２剤が収容された第２パウチ１２１と、第２パウチ１２１の開口を封止する封止部材１３０（第１収容容器１１０に用いられるものと同一構造）とを備えている。各封止部材１３０には、封止するパウチ１１１，１２１の内外を連通する連通穴１３１と、その連通穴１３１を開閉する開閉弁１３２とが形成されている。なお、パウチ１１１，１２１としては、底部が幅広のスタンディングパウチを用いることができる。このようなパウチは自立性がある分、操作性を高くすることができる。
【００３９】
一方、染毛剤吐出具１４０は、各収容容器１１０，１２０用の棒状の挿入部材１４１，１４１と、挿入部材１４１，１４１を介してパウチ１１１，１２１から染毛剤（第１剤及び第２剤）を吸引して吐出する２つのポンプ１５０，１５０と、利用者が簡単なボタン操作で２つのポンプ１５０，１５０を同時に操作できるようにするための吐出ヘッド１６０とを備えている。
【００４０】
なお、各挿入部材１４１は、軸方向に内部流路が形成されており、封止部材１３０の連通穴１３１に挿入されることにより開閉弁１３２を閉状態から開状態にしてパウチ１１１，１２１に収容された染毛剤を内部流路を介してポンプ１５０へ流入可能とする（図１に示す状態）。また、各挿入部材１４１は、封止部材１３０の連通穴１３１から抜き出されることにより開閉弁１３２を開状態から閉状態にしてパウチ１１１，１２１を密封する。
【００４１】
次に、染毛剤吐出容器１００における各部の構造について説明する。
図２は、封止部材１３０の外観形状の説明図であり、（ａ）は斜視図、（ｂ）は側面図である。また、図３は、封止部材１３０の内部構造の説明図であり、（ａ）は開閉弁１３２の開弁状態での断面図、（ｂ）は閉弁状態での断面図である。
【００４２】
前述したように、封止部材１３０の開閉弁１３２は、連通穴１３１に挿入部材１４１が挿入されることにより閉状態（図３（ｂ））から開状態（図３（ａ））となり、パウチ１１１，１２１に収容された染毛剤を挿入部材１４１の内部流路へ流入可能とし、連通穴１３１から挿入部材１４１が抜き出されることにより開状態（図３（ａ））から閉状態（図３（ｂ））となるように構成されている。なお、このような流路の開閉を実現するための封止部材１３０及び挿入部材１４１の具体的な構造は、背景技術の欄で説明したような公知技術を流用可能であるため、説明及び図示を省略し、特徴部分についてのみ説明する。
【００４３】
すなわち、この封止部材１３０は、パウチ１１１，１２１に収容される側の面１３３の形状が円錐状（断面Ｖ字形状）に形成されていることを特徴としている。このような形状により、パウチ１１１，１２１内の染毛剤が残り少なくなった際に、封止部材１３０とパウチ１１１，１２１との間に生じる容積（染毛剤が残存するスペース）を小さくすることができる。
【００４４】
次に、ポンプ１５０の構造について説明する。
ポンプ１５０は、手動操作により収容容器から内容物としての流体を吸い上げて吐出するタイプのもの（いわゆるディスペンサーポンプ）である。この種のポンプは、シャンプー容器や化粧品容器等で広く実用化されており、本実施形態においても周知の構造を採用すればよいが、その一例を簡単に説明する。
【００４５】
図４は、ポンプ１５０の内部構造を表す説明図であり、（ａ）は外力が解放された状態での断面図、（ｂ）は外力が加えられた状態での断面図である。
ポンプ１５０は、染毛剤の流路を内部に形成する円筒状のハウジング１５１と、ハウジング１５１の内周面に沿ってその軸方向に移動可能であって、ハウジング１５１内の流路と連通する内部流路が形成されたノズル１５２とを備えている。なお、ノズル１５２の下端における外周面には、ハウジング１５１の内周面との間をシールするためのシーリング部材（例えばＯリング）が設けられている。
【００４６】
そして、ハウジング１５１の外周面及びノズル１５２の外周面にはそれぞれ環状の鍔部１５１ａ，１５２ａが形成されており、これら鍔部１５１ａ，１５２ａの間にスプリング１５３が挟まれている。これにより、ノズル１５２に外力が加えられていない状態では、ノズル１５２がハウジング１５１から離れる方向（図では上方向）に付勢される（図４（ａ））。なお、ハウジング１５１の鍔部１５１ａにおける外縁には、スプリング１５３を収容するポンプケース１５４が固定されており、このポンプケース１５４の天井面にノズル１５２の鍔部１５２ａが当接することによって、ノズル１５２の移動可能範囲が規制される。
【００４７】
また、ハウジング１５１の下端には、各収容容器１１０，１２０からハウジング１５１に流入する染毛剤の流路を開閉する逆止弁１５５が設けられており、ノズル１５２の下端にも、ハウジング１５１と連通する流路を開閉する逆止弁１５６が設けられている。なお、ハウジング１５１の内部流路には、流路面積を狭めるオリフィス１５１ｂが形成されている。
【００４８】
このような構造により、ポンプ１５０は、ノズル１５２に対してスプリング１５３の付勢力に反する方向（図では下方向）への外力が加わる（指で押される）と、ノズル１５２がハウジング１５１側に移動する（図４（ｂ））。その際、ハウジング１５１下端の逆止弁１５５が閉じ、ノズル１５２下端の逆止弁１５６が開いてハウジング１５１内の染毛剤がノズル１５２側へ押し出される。一方、ノズル１５２に対する外力が解放される（指が離される）と、スプリング１５３の付勢力でノズル１５２がハウジング１５１から離れる方向に移動する（図４（ａ））。その際、ノズル１５２下端の逆止弁１５６が閉じ、ハウジング１５１下端の逆止弁１５５が開いて各収容容器１１０，１２０内の染毛剤がハウジング１５１へ流入する。
【００４９】
次に、吐出ヘッド１６０の構造について説明する。図５は、吐出ヘッド１６０の分解斜視図である。
この吐出ヘッド１６０は、断面略楕円状に形成された筒状のヘッド本体１６１と、ヘッド本体１６１の中空部にポンプ１５０，１５０の押下方向に沿って摺動自在に収納され、ポンプ１５０，１５０から排出された染毛剤を外部に排出するノズル部材１６２と、ヘッド本体１６１の中空部に収納され、外部からの操作によりノズル部材１６２を押下方向に押下可能とする操作部材１６３とを備えている。
【００５０】
ヘッド本体１６１は、その下部に２つのポンプ１５０，１５０を収納することができ、その上部にノズル部材１６２を押下方向に沿って摺動可能に収納することができるように構成されている。
【００５１】
ノズル部材１６２は、中空状のノズル本体１６４と、このノズル本体１６４の前方側面に突設され、２つのポンプ１５０，１５０から排出された内容物を外部に排出するノーズ部１６５と、ノズル本体１６４の下面に設けられ、各ポンプ１５０のノズル１５２先端に液密に係合して、各ポンプ１５０から排出された染毛剤をノズル本体１６４に送出する一対のポンプ係合部１６６とからなる。
【００５２】
そして、ノズル本体１６４及びノーズ部１６５の内部空間には、ポンプ１５０，１５０の配列方向に対し左右両側を隔離する仕切板が設けられており、仕切板３５により隔離された左右のそれぞれの空間にポンプ係合部１６６が連通している。なお、ノズル本体１６４及びノーズ部１６５には、内部を流動する染毛剤の混合を促進するための混合部材が設けられていてもよい。
【００５３】
操作部材１６３は、主に、操作部本体１６７と、この操作部本体１６７にヒンジ部１６８により揺動自在に取り付けられた揺動部１６９とからなる。
そして、この吐出ヘッド１６０は、ヘッド本体１６１の上部の開口部からノズル部材１６２、操作部材１６３を順番に挿入することによって組み立てられる。そして、各ポンプ１５０のノズル１５２先端に吐出ヘッド１６０を固定した状態で揺動部１６９の上面を押下すると、揺動部１６９がノズル部材１６２の上面を押下し、ノズル部材１６２がポンプ係合部１６６で各ポンプ１５０のノズル１５２を押下する。これにより、２つのポンプ１５０，１５０から染毛剤が排出され、吐出ヘッド１６０内部の流路を通ってノーズ部１６５の開口（吐出口）から吐出される。
【００５４】
以上説明したように、第１実施形態の染毛剤吐出容器１００において、パウチ１１１，１２１は、挿入部材１４１が封止部材１３０の連通穴１３１に挿入されていない状態では、封止部材１３０によって密封された状態となっている。そして、挿入部材１４１が封止部材１３０の連通穴１３１に挿入された状態でのみ、パウチ１１１，１２１に収容された染毛剤を外部へ吐出可能な状態となる。このため、キャップで開閉する構造のように閉め忘れの問題が無く、染毛剤の保存安定性を向上させることができ、また、小分け使用にも適している。
【００５５】
しかも、この染毛剤吐出容器１００では、パウチ１１１，１２１に収容された染毛剤をポンプ１５０，１５０で吸引して吐出するようにしているため、パウチ１１１，１２１の出口付近に残存した染毛剤についても吐出しやすくすることができる。
【００５６】
特に、第１実施形態の染毛剤吐出容器１００では、２つのパウチ１１１，１２１のそれぞれから挿入部材１４１，１４１を介して染毛剤を吸引する２つのポンプ１５０，１５０を備え、２つのパウチ１１１，１２１から吸引される染毛剤をポンプ１５０よりも下流側で合流させるようにしている。このため、第１剤及び第２剤の混合比率（１対１に限らない。）を適正なものとすることができる。すなわち、第１剤及び第２剤は、粘度等の特性が異なるため、共通のポンプで吸引する構成では、薬剤の特性（流れやすさ等）によって吸引量のバランスが適正でなくなってしまうことが考えられるが、パウチ１１１，１２１ごとにポンプ１５０を備える構成では、各パウチ１１１，１２１から所望の量の吸引を行うことができるため、混合比率を適正なものにしやすくなる。
【００５７】
また、本実施形態の染毛剤吐出容器１００では、封止部材１３０は、パウチ１１１，１２１に収容される側の形状が円錐状に形成されているため、パウチ１１１，１２１内の染毛剤が残り少なくなった際に、封止部材１３０とパウチ１１１，１２１との間に生じる容積（染毛剤が残存するスペース）を小さくすることができる。この結果、パウチ１１１，１２１の出口付近に残存した染毛剤を一層吐出しやすくすることができる。
【００５８】
なお、本実施形態の染毛剤吐出容器１００では、染毛剤吐出容器１００が毛髪化粧料吐出容器に相当し、パウチ１１１，１２１が収容袋に相当する。
［第２実施形態］
図６は、第２実施形態の染毛剤吐出容器２００の概略構成図である。
【００５９】
同図に示すように、この染毛剤吐出容器２００は、第１実施形態の染毛剤吐出容器１００と対比すると、第１実施形態の染毛剤吐出具１４０とは異なる染毛剤吐出具２４０を備えている点が異なる。
【００６０】
具体的には、第１実施形態の染毛剤吐出具１４０は、２つのパウチ１１１，１２１のそれぞれから挿入部材１４１，１４１を介して染毛剤を吸引する２つのポンプ１５０，１５０を備え、２つのパウチ１１１，１２１から吸引される染毛剤をポンプ１５０よりも下流側で合流させるようにしている。
【００６１】
これに対し、第２実施形態の染毛剤吐出具２４０は、ポンプ１５０を１つしか備えておらず、２つのパウチ１１１，１２１のそれぞれから挿入部材１４１，１４１を介して吸引される染毛剤をポンプ１５０よりも上流側で合流させる点が異なる。
【００６２】
このような第２実施形態の染毛剤吐出容器２００によれば、第１剤及び第２剤の混合を促進させることができる。すなわち、ポンプ１５０内の流路は、その構造上、狭い部分と広い部分とを有しており、乱流が生じやすくなっているため、第１剤及び第２剤を合流させた後にポンプ１５０を通過させることで、混合専用の部材を別途設けることなく、混合を効率的に促進させることができる。
【００６３】
［他の形態］
以上、本発明の実施形態について説明したが、本発明は、上記実施形態に限定されることなく、種々の形態を採り得ることは言うまでもない。
【００６４】
例えば、上記各実施形態では、封止部材が取り付けられた２つの収容袋（第１収容容器１１０及び第２収容容器１２０）を備え、２つの収容袋のそれぞれから挿入部材を介して吸引される染毛剤を合流させて共通の吐出口から吐出する構成を例示したが、本発明はこのような構成に限定されるものではない。例えば、封止部材が取り付けられた収容袋を１つのみ備え、その収容袋から挿入部材を介して吸引される毛髪化粧料をそのまま吐出口から吐出する構成としてもよい。この場合、上記各実施形態で例示したような複数種類の薬剤を使用直前に混合して毛髪に塗布するタイプの毛髪化粧料についても、それぞれ専用の毛髪化粧料吐出容器を用いて別々に吐出した後に混合して使用することが可能である。ただし、上記各実施形態のように、共通の吐出口から同時に吐出された方が使い勝手はよい。
【００６５】
また、上記各実施形態では、２種類の薬剤を混合して使用する毛髪化粧料を例示したが、これに限定されるものではなく、３種類以上の薬剤を混合して使用するものを用いてもよく、１種類の薬剤をそのまま使用するものを用いてもよい。また、上記各実施形態では、毛髪化粧料として酸化染毛剤を例示したが、これに限定されるものではなく、例えば脱色剤や直接染毛料を用いてもよい。
【図面の簡単な説明】
【００６６】
【図１】第１実施形態の染毛剤吐出容器の概略構成図である。
【図２】封止部材の外観形状の説明図であり、（ａ）は斜視図、（ｂ）は側面図である。
【図３】封止部材の内部構造の説明図であり、（ａ）は開閉弁の開弁状態での断面図、（ｂ）は閉弁状態での断面図である。
【図４】ポンプの内部構造を表す説明図であり、（ａ）は外力が解放された状態での断面図、（ｂ）は外力が加えられた状態での断面図である。
【図５】吐出ヘッドの分解斜視図である。
【図６】第２実施形態の染毛剤吐出容器の概略構成図である。
【図７】特許文献１に記載の連結部材の説明図である。
【図８】特許文献１に記載の連結部材（プラグが雌部材の空洞を封鎖した状態）の説明図である。
【図９】特許文献１に記載の連結部材（プラグが雌部材の空洞から離脱した状態）の説明図である。
【図１０】特許文献１に記載の連結部材の連続的段階を説明するための説明図である。
【符号の説明】
【００６７】
１００，２００…染毛剤吐出容器、１１０…第１収容容器、１１１…第１パウチ、１２０…第２収容容器、１２１…第２パウチ、１３０…封止部材、１３１…連通穴、１３２…開閉弁、１４０，２４０…染毛剤吐出具、１４１…挿入部材、１５０…ポンプ、１５１…ハウジング、１５１ａ…鍔部、１５１ｂ…オリフィス、１５２…ノズル、１５２ａ…鍔部、１５３…スプリング、１５４…ポンプケース、１５５，１５６…逆止弁、１６０…吐出ヘッド、１６１…ヘッド本体、１６２…ノズル部材、１６３…操作部材、１６４…ノズル本体、１６５…ノーズ部、１６６…ポンプ係合部、１６７…操作部本体、１６８…ヒンジ部、１６９…揺動部
【図１】
2010035585.tif 000003
【図３】
2010035585.tif 000004
【図５】
2010035585.tif 000005
【図６】
2010035585.tif 000006
【図７】
2010035585.tif 000007
【図８】
2010035585.tif 000008
【図９】
2010035585.tif 000009
【図１０】
2010035585.tif 000010
【図２】
2010035585.tif 000011
【図４】
2010035585.tif 000012